(57)【特許請求の範囲】
【請求項１】
原稿が支持される支持台と、
前記支持台の一端側に設定された読取り開始位置と、前記支持台の他端側に設定された読取り終了位置との間で、前記支持台に沿って移動可能に支持され、前記原稿に光を照射する光源であって、前記原稿に光を照射する第１の光源と、前記第１の光源とは異なる向きから前記原稿に照射する第２の光源と、を有する前記光源と、
前記原稿からの反射光に基づいて画像を読み取る読取り部材であって、前記原稿からの反射光に基づいて第１の画像を読み取る第１の読取り部材と、前記第１の読取り部材が読み取った反射光とは異なる向きで反射した反射光に基づいて第２の画像を読み取る第２の読取り部材と、を有する前記読取り部材と、
前記読取り部材で読み取った前記第１の画像と、前記第１の画像とは異なる向きで原稿から反射した光に基づく前記第２の画像とに基づいて、読取り画像情報を合成する画像合成手段と、
を備え、
前記画像合成手段は、
前記第１の光源が点灯され且つ前記第２の光源が消灯されて前記光源が前記読取り開始位置から前記読取り終了位置に移動する際に、前記第１の読取り部材が読み取った画像と、前記第２の読取り部材が読み取った画像であって、前記第１の読取り部材とは前記光源の移動方向にずれた位置の画像と、
前記第１の光源が点灯され且つ前記第２の光源が消灯されて前記光源が前記読取り終了位置から前記読取り開始位置に移動する際に、前記第１の読取り部材が読み取った画像と、前記第２の読取り部材が読み取った画像であって、前記第１の読取り部材とは前記光源の移動方向にずれた位置の画像と、
前記第１の光源が消灯され且つ前記第２の光源が点灯されて前記光源が前記読取り開始位置から前記読取り終了位置に移動する際に、前記第１の読取り部材が読み取った画像と、前記第２の読取り部材が読み取った画像であって、前記第１の読取り部材とは前記光源の移動方向にずれた位置の画像と、
前記第１の光源が消灯され且つ前記第２の光源が点灯されて前記光源が前記読取り終了位置から前記読取り開始位置に移動する際に、前記第１の読取り部材が読み取った画像と、前記第２の読取り部材が読み取った画像であって、前記第１の読取り部材とは前記光源の移動方向にずれた位置の画像と、
を合成する
ことを特徴とする画像読取装置。
【請求項２】
前記原稿からの反射光を読み取る第１の読取り部材と、前記第１の読取り部材が読み取った反射光とは異なる向きで反射した反射光を読み取る第２の読取り部材と、を有する前記読取り部材と、
前記光源が前記読取り開始位置から前記読取り終了位置に移動する際に、前記第１の読取り部材が読み取った画像と、前記第２の読取り部材が読み取った画像とを合成する画像合成手段と、
を備えたことを特徴とする請求項１に記載の画像読取装置。
【請求項３】
前記原稿に光を照射する第１の光源と、前記第１の光源とは異なる向きから前記原稿に照射する第２の光源と、を有する前記光源と、
前記光源が前記読取り開始位置と前記読取り終了位置との間を移動する際に、前記第１の光源からの反射光を前記読取り部材が読み取った第１の画像と、前記第２の光源からの反射光を前記読取り部材が読み取った画像とを合成する画像合成手段と、
を備えたことを特徴とする請求項１に記載の画像読取装置。
【請求項４】
前記光源が前記読取り開始位置から前記読取り終了位置に移動する際に、原稿に光を照射する前記第１の光源と、
前記光源が前記読取り終了位置から前記読取り開始位置に移動する際に、原稿に光を照射する前記第２の光源と、
を備えたことを特徴とする請求項３に記載の画像読取装置。
【請求項５】
原稿が支持される支持台と、
前記支持台の一端側に設定された読取り開始位置と、前記支持台の他端側に設定された読取り終了位置との間で、前記支持台に沿って移動可能に支持され、前記原稿に光を照射する光源と、
前記原稿からの反射光に基づいて画像を読み取る読取り部材であって、前記原稿からの反射光に基づいて第１の画像を読み取る第１の読取り部材と、前記第１の読取り部材が読み取った反射光とは異なる向きで反射した反射光に基づいて第２の画像を読み取る第２の読取り部材と、を有する前記読取り部材と、
前記読取り部材で読み取った前記第１の画像と、前記第１の画像とは異なる向きで原稿から反射した光に基づく前記第２の画像とに基づいて、読取り画像情報を合成する画像合成手段と、
を備え、
前記光源が前記読取り開始位置から前記読取り終了位置に移動する際に前記第１の読取り部材が読み取った画像から前記原稿の画像を読取り、
前記光源が前記読取り開始位置から前記読取り終了位置に移動する際に前記第１の読取り部材が読み取った画像および前記光源が前記読取り開始位置から前記読取り終了位置に移動する際に前記第２の読取り部材が読み取った画像から前記原稿の大きさを検出する
ことを特徴とする画像読取装置。
【請求項６】
前記原稿に光を照射する第１の光源と、前記第１の光源とは異なる向きから前記原稿に照射する第２の光源と、を有する前記光源と、
を備え、
前記光源が前記読取り開始位置から前記読取り終了位置に移動する際に、前記第１の光源および前記第２の光源の一方を点灯させ且つ他方を消灯させて、前記読取り部材が読み取った前記第１の画像から前記原稿の画像を読取ると共に、
前記光源が前記読取り終了位置から前記読取り開始位置に移動する際に、前記第１の光源および前記第２の光源の他方を点灯させ且つ一方を消灯させて、前記読取り部材が読み取った前記第２の画像から前記原稿の大きさを検出する
ことを特徴とする請求項１に記載の画像読取装置。
【請求項７】
原稿を読み取る請求項１ないし６のいずれかに記載の画像読取装置と、
前記画像読取装置に読み取られた読取画像を媒体に記録する画像記録装置と、
を備えたことを特徴とする画像形成装置。  
【発明の詳細な説明】
【技術分野】
【０００１】
本発明は、画像読取装置および画像形成装置に関する。
【背景技術】
【０００２】
従来の複写機やプリンタ等の画像形成装置において、原稿の画像を読み取る画像読取装置、いわゆる、スキャナについて、以下の特許文献１が従来公知である。
特許文献１としての特開２０１３−１６８９２５号公報には、原稿を読み取るセンサ基板（６）を挟む形で両側から原稿に光を照射する２つの光源（３ａ，３ｂ）を有するイメージセンサユニット（１）が記載されている。
【先行技術文献】
【特許文献】
【０００３】
【特許文献１】特開２０１３−１６８９２５号公報（「００１６」〜「００１９」、図３〜図５）
【発明の概要】
【発明が解決しようとする課題】
【０００４】
本発明は、凹凸のある原稿や光沢のある原稿の読み取り不良を低減することを技術的課題とする。
【課題を解決するための手段】
【０００５】
前記技術的課題を解決するために、請求項１に記載の発明の画像読取装置は、
原稿が支持される支持台と、
前記支持台の一端側に設定された読取り開始位置と、前記支持台の他端側に設定された読取り終了位置との間で、前記支持台に沿って移動可能に支持され、前記原稿に光を照射する光源であって、前記原稿に光を照射する第１の光源と、前記第１の光源とは異なる向きから前記原稿に照射する第２の光源と、を有する前記光源と、
前記原稿からの反射光に基づいて画像を読み取る読取り部材であって、前記原稿からの反射光に基づいて第１の画像を読み取る第１の読取り部材と、前記第１の読取り部材が読み取った反射光とは異なる向きで反射した反射光に基づいて第２の画像を読み取る第２の読取り部材と、を有する前記読取り部材と、
前記読取り部材で読み取った前記第１の画像と、前記第１の画像とは異なる向きで原稿から反射した光に基づく前記第２の画像とに基づいて、読取り画像情報を合成する画像合成手段と、
を備え、
前記画像合成手段は、
前記第１の光源が点灯され且つ前記第２の光源が消灯されて前記光源が前記読取り開始位置から前記読取り終了位置に移動する際に、前記第１の読取り部材が読み取った画像と、前記第２の読取り部材が読み取った画像であって、前記第１の読取り部材とは前記光源の移動方向にずれた位置の画像と、
前記第１の光源が点灯され且つ前記第２の光源が消灯されて前記光源が前記読取り終了位置から前記読取り開始位置に移動する際に、前記第１の読取り部材が読み取った画像と、前記第２の読取り部材が読み取った画像であって、前記第１の読取り部材とは前記光源の移動方向にずれた位置の画像と、
前記第１の光源が消灯され且つ前記第２の光源が点灯されて前記光源が前記読取り開始位置から前記読取り終了位置に移動する際に、前記第１の読取り部材が読み取った画像と、前記第２の読取り部材が読み取った画像であって、前記第１の読取り部材とは前記光源の移動方向にずれた位置の画像と、
前記第１の光源が消灯され且つ前記第２の光源が点灯されて前記光源が前記読取り終了位置から前記読取り開始位置に移動する際に、前記第１の読取り部材が読み取った画像と、前記第２の読取り部材が読み取った画像であって、前記第１の読取り部材とは前記光源の移動方向にずれた位置の画像と、
を合成する
ことを特徴とする。
【０００６】
請求項２に記載の発明は、請求項１に記載の画像読取装置において、
前記原稿からの反射光を読み取る第１の読取り部材と、前記第１の読取り部材が読み取った反射光とは異なる向きで反射した反射光を読み取る第２の読取り部材と、を有する前記読取り部材と、
前記光源が前記読取り開始位置から前記読取り終了位置に移動する際に、前記第１の読取り部材が読み取った画像と、前記第２の読取り部材が読み取った画像とを合成する画像合成手段と、
を備えたことを特徴とする。
【０００７】
請求項３に記載の発明は、請求項１に記載の画像読取装置において、
前記原稿に光を照射する第１の光源と、前記第１の光源とは異なる向きから前記原稿に照射する第２の光源と、を有する前記光源と、
前記光源が前記読取り開始位置と前記読取り終了位置との間を移動する際に、前記第１の光源からの反射光を前記読取り部材が読み取った第１の画像と、前記第２の光源からの反射光を前記読取り部材が読み取った画像とを合成する画像合成手段と、
を備えたことを特徴とする。
【０００８】
請求項４に記載の発明は、請求項３に記載の画像読取装置において、
前記光源が前記読取り開始位置から前記読取り終了位置に移動する際に、原稿に光を照射する前記第１の光源と、
前記光源が前記読取り終了位置から前記読取り開始位置に移動する際に、原稿に光を照射する前記第２の光源と、
を備えたことを特徴とする。
【００１０】
前記技術的課題を解決するために、請求項５に記載の発明の画像読取装置は、
原稿が支持される支持台と、
前記支持台の一端側に設定された読取り開始位置と、前記支持台の他端側に設定された読取り終了位置との間で、前記支持台に沿って移動可能に支持され、前記原稿に光を照射する光源と、
前記原稿からの反射光に基づいて画像を読み取る読取り部材であって、前記原稿からの反射光に基づいて第１の画像を読み取る第１の読取り部材と、前記第１の読取り部材が読み取った反射光とは異なる向きで反射した反射光に基づいて第２の画像を読み取る第２の読取り部材と、を有する前記読取り部材と、
前記読取り部材で読み取った前記第１の画像と、前記第１の画像とは異なる向きで原稿から反射した光に基づく前記第２の画像とに基づいて、読取り画像情報を合成する画像合成手段と、
を備え、
前記光源が前記読取り開始位置から前記読取り終了位置に移動する際に前記第１の読取り部材が読み取った画像から前記原稿の画像を読取り、
前記光源が前記読取り開始位置から前記読取り終了位置に移動する際に前記第１の読取り部材が読み取った画像および前記光源が前記読取り開始位置から前記読取り終了位置に移動する際に前記第２の読取り部材が読み取った画像から前記原稿の大きさを検出する
ことを特徴とする。
【００１１】
請求項６に記載の発明は、請求項１に記載の画像読取装置において、
前記原稿に光を照射する第１の光源と、前記第１の光源とは異なる向きから前記原稿に照射する第２の光源と、を有する前記光源と、
を備え、
前記光源が前記読取り開始位置から前記読取り終了位置に移動する際に、前記第１の光源および前記第２の光源の一方を点灯させ且つ他方を消灯させて、前記読取り部材が読み取った前記第１の画像から前記原稿の画像を読取ると共に、
前記光源が前記読取り終了位置から前記読取り開始位置に移動する際に、前記第１の光源および前記第２の光源の他方を点灯させ且つ一方を消灯させて、前記読取り部材が読み取った前記第２の画像から前記原稿の大きさを検出する
ことを特徴とする。
【００１２】
前記技術的課題を解決するために、請求項７に記載の発明の画像形成装置は、
原稿を読み取る請求項１ないし６のいずれかに記載の画像読取装置と、
前記画像読取装置に読み取られた読取画像を媒体に記録する画像記録装置と、
を備えたことを特徴とする。
【発明の効果】
【００１３】
請求項１，５，７に記載の発明によれば、単一の方向からの反射光から画像情報を作成する場合に比べて、多くの情報を得ることができ、凹凸のある原稿や光沢のある原稿の読み取り不良を低減することができる。また、請求項１に記載の発明によれば、光源の移動方向の上流側または下流側の片側からの照射で読み取る場合に比べて、読取り画質を向上させることができる。
請求項２に記載の発明によれば、１つの光源から照射されて原稿から異なる向きで反射された光を２つの読取り部材で読み取っており、単一の方向からの反射光から画像情報を作成する場合に比べて、多くの情報を得ることができる。
請求項３に記載の発明によれば、２つの光源から照射されて原稿から異なる向きで反射された光を１つの読取り部材で読み取っており、単一の方向からの反射光から画像情報を作成する場合に比べて、多くの情報を得ることができる。
【００１４】
請求項４に記載の発明によれば、光源が読取り終了位置から読取り開始位置に移動する際にも、光源が点灯されて読み取られており、読取り開始位置から読み取り終了位置に移動する際しか光源が点灯されない場合に比べて、光源の移動回数を減らすことができる。
請求項５，６に記載の発明によれば、原稿の大きさを検知する検知部材を別個に設ける必要がなくなり、検知部材の数を減らすことができる。
【図面の簡単な説明】
【００１５】
【図１】図１は実施例１の画像形成装置の全体説明図である。
【図２】図２は実施例１の可視像形成装置の拡大説明図である。
【図３】図３は実施例１の画像読取装置の全体説明図である。
【図４】図４は実施例１の画像読取装置の本体部の要部説明図である。
【図５】図５は実施例１の画像の一例の説明図であり、図５Ａは拡散光画像の説明図、図５Ｂは正反射光画像の説明図、図５Ｃは重み付けが異なる複数の合成画像の説明図である。
【図６】図６は実施例１の凹凸のある原稿とランプからの照射光との関係の説明図であり、図６Ａは第１ランプのみが点灯した状態の説明図、図６Ｂは第２ランプのみが点灯した状態の説明図、図６Ｃは２つのランプが両方点灯した状態の説明図である。
【図７】図７は実施例１の読取りユニットで用紙の端部に画像がある原稿を読み取った場合の説明図であり、図７Ａはスキャン移動時の説明図、図７Ｂはバックスキャン移動時の説明図である。
【図８】図８は実施例２の画像読取装置の本体部の要部説明図であり、実施例１の図４に対応する図である。
【図９】図９は実施例３の画像読取装置の本体部の要部説明図であり、実施例１の図４に対応する図である。
【発明を実施するための形態】
【００１６】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
図１は実施例１の画像形成装置の全体説明図である。
図２は実施例１の可視像形成装置の拡大説明図である。
図１において、画像形成装置の一例としての複写機Ｕは、操作部ＵＩ、画像読取装置の一例としてのスキャナ部Ｕ１、媒体供給装置の一例としてのフィーダ部Ｕ２、画像記録装置の一例としての作像部Ｕ３、および媒体処理装置Ｕ４を有している。
【００１８】
（操作部ＵＩの説明）
操作部ＵＩは、複写開始や複写枚数の設定などに用いられる入力ボタンＵＩａを有する。また、前記操作部ＵＩは、前記入力ボタンＵＩａにより入力された内容や、複写機Ｕの状態が表示される表示部ＵＩｂを有する。
【００１９】
（スキャナ部Ｕ１の説明）
図３は実施例１の画像読取装置の全体説明図である。
図１、図３において、スキャナ部Ｕ１は、画像読取装置の本体部の一例として、上端に透明な原稿台ＰＧを有するスキャナ本体Ｕ１ｂを有する。スキャナ本体Ｕ１ｂの上面には、原稿搬送装置Ｕ１ａが、原稿台ＰＧを開閉可能に支持されている。
前記原稿搬送装置Ｕ１ａは、原稿の積載部の一例として、複写しようとする複数の原稿Ｇｉが重ねて収容される原稿給紙トレイＵ１ａ１を有する。原稿給紙トレイＵ１ａ１の左方には、原稿搬送部Ｕ１ａ２が設けられている。原稿搬送部Ｕ１ａ２は、原稿給紙トレイＵ１ａ１の原稿Ｇｉを原稿台ＰＧ上に搬送する。原稿給紙トレイＵ１ａ１の下方には、原稿排出部の一例としての原稿排紙トレイＵ１ａ３が配置されている。原稿排紙トレイＵ１ａ３には、原稿台ＰＧを通過した原稿Ｇｉが原稿搬送部Ｕ１ａ２から排出される。
【００２０】
スキャナ本体Ｕ１ｂの内部には、原稿Ｇｉの画像を読み取る読取りユニットＡが配置されている。読取りユニットＡは、原稿台ＰＧに沿って、左右方向に移動可能に支持されている。読取りユニットＡは、原稿Ｇｉからの反射光を赤Ｒ、緑Ｇ、青Ｂの電気信号に変換して、画像処理部ＧＳに入力する。
前記画像処理部ＧＳは、読取りユニットＡから入力される前記ＲＧＢの電気信号を黒Ｋ、イエローＹ、マゼンタＭ、シアンＣの画像情報に変換して一時的に記憶し、前記画像情報を、予め設定された時期に、潜像形成用の画像情報として、作像部Ｕ３の潜像形成装置の駆動回路Ｄに出力する。
【００２１】
なお、原稿画像が単色画像、いわゆる、モノクロの場合は、黒Ｋのみの画像情報が潜像形成装置の駆動回路Ｄに入力される。
前記原稿台ＰＧ、読取りユニットＡ及び画像処理部ＧＳにより、実施例１のスキャナ本体Ｕ１ｂが構成される。
【００２２】
（フィーダ部Ｕ２の説明）
図１において、フィーダ部Ｕ２は、媒体収容容器の一例としての複数の給紙トレイＴＲ１，ＴＲ２，ＴＲ３，ＴＲ４を有している。また、前記フィーダ部Ｕ２は、前記各給紙トレイＴＲ１〜ＴＲ４に収容された画像記録用の媒体の一例としての記録用紙Ｓを取り出して、作像部Ｕ３に搬送する媒体供給路ＳＨ１等を有している。
【００２３】
（作像部Ｕ３及び媒体処理装置Ｕ４の説明）
図１において、作像部Ｕ３は、前記フィーダ部Ｕ２から搬送された記録用紙Ｓにスキャナ部Ｕ１により読み取った原稿画像に基づいて画像記録を行う画像記録部Ｕ３ａを有する。
図１、図２において、作像部Ｕ３の潜像形成装置の駆動回路Ｄは、スキャナ部Ｕ１から入力された画像情報に基づいて、それに応じた駆動信号を予め設定された時期に、各色Ｙ〜Ｋの潜像形成装置ＲＯＳｙ，ＲＯＳｍ，ＲＯＳｃ，ＲＯＳｋに出力する。各潜像形成装置ＲＯＳｙ〜ＲＯＳｋの下方には、像保持体の一例としての感光体ドラムＰｙ，Ｐｍ，Ｐｃ，Ｐｋが配置されている。
【００２４】
回転する感光体ドラムＰｙ，Ｐｍ，Ｐｃ，Ｐｋ表面は、それぞれ、帯電器の一例としての帯電ロールＣＲｙ，ＣＲｍ，ＣＲｃ，ＣＲｋにより一様に帯電される。表面が帯電された感光体ドラムＰｙ〜Ｐｋの表面には、潜像形成装置ＲＯＳｙ，ＲＯＳｍ，ＲＯＳｃ，ＲＯＳｋの出力する潜像書込光の一例としてのレーザビームＬｙ，Ｌｍ，Ｌｃ，Ｌｋにより静電潜像が形成される。感光体ドラムＰｙ，Ｐｍ，Ｐｃ，Ｐｋの表面の静電潜像は、現像装置Ｇｙ，Ｇｍ，Ｇｃ，ＧｋによりイエローＹ、マゼンタＭ、シアンＣ、黒Ｋの可視像の一例としてのトナー像に現像される。
なお、現像装置Ｇｙ〜Ｇｋにおいて、現像により消費された現像剤は、現像剤補給装置Ｕ３ｂに着脱可能に装着される現像剤収容容器の一例としてのトナーカートリッジＫｙ，Ｋｍ，Ｋｃ，Ｋｋから補給される。
【００２５】
感光体ドラムＰｙ，Ｐｍ，Ｐｃ，Ｐｋ表面上のトナー像は、一次転写器の一例としての１次転写ロールＴ１ｙ，Ｔ１ｍ，Ｔ１ｃ，Ｔ１ｋにより、中間転写体の一例としての中間転写ベルトＢ上に１次転写領域Ｑ３ｙ，Ｑ３ｍ，Ｑ３ｃ，Ｑ３ｋで順次重ねて転写され、中間転写ベルトＢ上に多色可視像の一例としてのカラートナー像が形成される。中間転写ベルトＢ上に形成されたカラートナー像は、２次転写領域Ｑ４に搬送される。
なお、Ｋ色の画像情報のみの場合はＫ色の感光体ドラムＰｋおよび現像装置Ｇｋのみが使用され、Ｋ色のトナー像のみが形成される。
１次転写後の感光体ドラムＰｙ，Ｐｍ，Ｐｃ，Ｐｋは、像保持体の清掃器の一例としてのドラムクリーナＣＬｙ，ＣＬｍ，ＣＬｃ，ＣＬｋにより、表面に付着した残留現像剤や紙粉等の残留物が除去される。
【００２６】
実施例１では、感光体ドラムＰｋ、帯電ロールＣＲｋ、ドラムクリーナＣＬｋが、像保持体ユニットの一例としてのＫ色の感光体ユニットＵＫとして一体化されている。そして、他の色Ｙ，Ｍ，Ｃについても同様に、感光体ドラムＰｙ，Ｐｍ，Ｐｃ、帯電ロールＣＲｙ，ＣＲｍ，ＣＲｃ、ドラムクリーナＣＬｙ，ＣＬｍ，ＣＬｃにより、感光体ユニットＵＹ，ＵＭ，ＵＣが構成されている。
また、Ｋ色の感光体ユニットＵＫと、現像剤保持体の一例としての現像ロールＲ０ｋを有する現像装置Ｇｋとにより、Ｋ色の可視像形成装置ＵＫ＋Ｇｋが構成される。同様に、Ｙ，Ｍ，Ｃ色の感光体ユニットＵＹ，ＵＭ，ＵＣと、現像ロールＲ０ｙ，Ｒ０ｍ，Ｒ０ｃを有する現像装置Ｇｙ，Ｇｍ，Ｇｃとにより、それぞれ、Ｙ，Ｍ，Ｃ色の可視像形成装置ＵＹ＋Ｇｙ，ＵＭ＋Ｇｍ，ＵＣ＋Ｇｃが構成される。
【００２７】
感光体ドラムＰｙ〜Ｐｋの下方には、中間転写装置の一例としてのベルトモジュールＢＭが配置されている。ベルトモジュールＢＭは、前記中間転写ベルトＢと、中間転写体の駆動部材の一例としての駆動ロールＲｄ、張力付与部材の一例としてのテンションロールＲｔ、蛇行防止部材の一例としてのウォーキングロールＲｗ、従動部材の一例としての複数のアイドラロールＲｆおよび対向部材の一例としてのバックアップロールＴ２ａと、前記１次転写ロールＴ１ｙ，Ｔ１ｍ，Ｔ１ｃ，Ｔ１ｋとを有する。中間転写ベルトＢは矢印Ｙａ方向に回転移動可能に支持されている。
【００２８】
前記バックアップロールＴ２ａの下方には、２次転写ユニットＵｔが配置されている。前記２次転写ユニットＵｔは、２次転写部材の一例としての２次転写ロールＴ２ｂを有する。前記２次転写ロールＴ２ｂが中間転写ベルトＢと接触する領域により２次転写領域Ｑ４が形成されている。また、２次転写ロールＴ２ｂには、中間転写ベルトＢを挟んで、対向部材の一例としてのバックアップロールが対向している。バックアップロールＴ２ａには、給電部材の一例としてのコンタクトロールＴ２ｃが接触している。コンタクトロールＴ２ｃには、トナーの帯電極性と同極性の２次転写電圧が印加される。
前記バックアップロールＴ２ａ、２次転写ロールＴ２ｂ及びコンタクトロールＴ２ｃにより、２次転写器Ｔ２が構成されている。
【００２９】
前記ベルトモジュールＢＭの下方には、媒体の搬送路ＳＨ２が配置されている。前記フィーダ部Ｕ２の媒体供給路ＳＨ１から給紙された記録用紙Ｓは、媒体の搬送部材の一例としての搬送ロールＲａにより、搬送時期の調節部材の一例としてのレジロールＲｒに搬送される。レジロールＲｒは、中間転写ベルトＢ上に形成されたトナー像が２次転写領域Ｑ４に搬送される時期に合わせて、記録用紙Ｓを下流側に搬送する。レジロールＲｒにより送り出された記録用紙Ｓは、レジ側の用紙ガイドＳＧｒ、転写前の用紙ガイドＳＧ１で案内されて、２次転写領域Ｑ４に搬送される。
中間転写ベルトＢ上のトナー像は、２次転写領域Ｑ４を通過する際に、２次転写器Ｔ２により記録用紙Ｓに転写される。なお、カラートナー像の場合は中間転写ベルトＢ表面に重ねて１次転写されたトナー像が一括して記録用紙Ｓに２次転写される。
前記１次転写ロールＴ１ｙ〜Ｔ１ｋ、前記２次転写器Ｔ２、中間転写ベルトＢにより、実施例１の転写装置Ｔ１ｙ〜Ｔ１ｋ＋Ｔ２＋Ｂが構成されている。
【００３０】
２次転写後の中間転写ベルトＢは、２次転写領域Ｑ４の下流側に配置された中間転写体清掃器の一例としてのベルトクリーナＣＬＢにより清掃される。ベルトクリーナＣＬＢは、２次転写領域Ｑ４において、転写されずに残った現像剤や紙粉などの残留物を、中間転写ベルトＢから除去する。
【００３１】
トナー像が転写された記録用紙Ｓは、転写後の用紙ガイドＳＧ２で案内されて、搬送部材の一例としての媒体搬送ベルトＢＨに送られる。媒体搬送ベルトＢＨは、記録用紙Ｓを定着装置Ｆに搬送する。
定着装置Ｆは、加熱部材の一例としての加熱ロールＦｈと加圧部材の一例としての加圧ロールＦｐとを有する。記録用紙Ｓは、加熱ロールＦｈと加圧ロールＦｐとが接触する領域である定着領域Ｑ５に搬送される。記録用紙Ｓのトナー像は、定着領域Ｑ５を通過する際に、定着装置Ｆにより加熱および加圧されて、定着される。
前記可視像形成装置ＵＹ＋Ｇｙ〜ＵＫ＋Ｇｋ、転写装置Ｔ１ｙ〜Ｔ１ｋ＋Ｔ２＋Ｂ、定着装置Ｆにより、実施例１の画像記録部Ｕ３ａが構成されている。
【００３２】
前記定着装置Ｆの下流側には、切替部材の一例としての切替ゲートＧＴ１が設けられている。前記切替ゲートＧＴ１は、定着領域Ｑ５を通過した記録用紙Ｓを、媒体処理装置Ｕ４側の排出路ＳＨ３または反転路ＳＨ４のいずれかに、選択的に切り替える。排出路ＳＨ３に搬送された用紙Ｓは、媒体処理装置Ｕ４の用紙搬送路ＳＨ５に搬送される。用紙搬送路ＳＨ５には、反りの補正部材の一例としてのカール補正部材Ｕ４ａが配置されている。カール補正部材Ｕ４ａは、搬入された記録用紙Ｓの反り、いわゆるカールを補正する。カールが補正された記録用紙Ｓは、媒体の排出部材の一例としての排出ロールＲｈにより、媒体の排出部の一例としての排出トレイＴＨ１に、用紙の画像定着面が上向きで排出される。
【００３３】
前記切替ゲートＧＴ１により作像部Ｕ３の反転路ＳＨ４側に搬送された記録用紙Ｓは、切替部材の一例としての第２のゲートＧＴ２を通って作像部Ｕ３の反転路ＳＨ４に搬送される。
このとき、記録用紙Ｓの画像定着面を下向きに排出する場合には、第２のゲートＧＴ２を記録用紙Ｓの搬送方向後端が通過した後に、記録用紙Ｓの搬送方向を逆転させる。ここで、実施例１の第２のゲートＧＴ２は、薄膜状の弾性部材により構成されている。したがって、第２のゲートＧＴ２は、反転路ＳＨ４に搬送されてきた記録用紙Ｓをそのまま一旦通過させ、通過した記録用紙Ｓが反転、いわゆるスイッチバックされてくると、搬送路ＳＨ３，ＳＨ５側に案内する。そして、スイッチバックされた記録用紙Ｓは、カール補正部材Ｕ４ａを通過して、画像定着面が下を向いた状態で排出トレイＴＨ１に排出される。
【００３４】
前記作像部Ｕ３の反転路ＳＨ４には循環路ＳＨ６が接続されており、その接続部には、切替部材の一例としての第３のゲートＧＴ３が配置されている。また、反転路ＳＨ４の下流端は、媒体処理装置Ｕ４の反転路ＳＨ７に接続されている。
前記切替ゲートＧＴ１を通って反転路ＳＨ４に搬送された記録用紙Ｓは、第３のゲートＧＴ３により前記媒体処理装置Ｕ４の反転路ＳＨ７側に搬送される。実施例１の第３のゲートＧＴ３は、第２のゲートＧＴ２と同様に、薄膜状の弾性部材により構成されている。したがって、第３のゲートＧＴ３は、反転路ＳＨ４を搬送されてきた記録用紙Ｓを、一旦通過させ、通過した記録用紙Ｓがスイッチバックされてくると、循環路ＳＨ６側に案内する。
【００３５】
前記循環路ＳＨ６に搬送された記録用紙Ｓは、媒体の搬送路ＳＨ２を通って２次転写領域Ｑ４に再送され、二面目の印刷が行われる。
前記符号ＳＨ１〜ＳＨ７で示された要素により用紙搬送路ＳＨが構成されている。また、前記符号ＳＨ，Ｒａ，Ｒｒ，Ｒｈ，ＳＧｒ，ＳＧ１，ＳＧ２，ＢＨ，ＧＴ１〜ＧＴ３で示された要素により、実施例１の用紙搬送装置ＳＵが構成されている。
【００３６】
（画像読取装置の本体部Ｕ１ｂの説明）
図４は実施例１の画像読取装置の本体部の要部説明図である。
図３、図４において、スキャナ本体Ｕ１ｂの上面には、前記透明な原稿台ＰＧが支持されている。透明な原稿台ＰＧは、左側の自動読み取り面１と、左側の手動読み取り面２とを有する。実施例１の自動読み取り面１は、前後方向に延びる帯板状のガラスにより構成されている。また、実施例１の手動読み取り面２は、予め設定された読み取り可能な最大サイズの原稿Ｇｉの大きさに対応する板状のガラスにより構成されている。
【００３７】
自動読み取り面１と手動読み取り面２との間には、原稿ガイドＰＧ３が配置されている。原稿ガイドＰＧ３の上面は、自動読み取り面１に搬送された原稿Ｇｉを案内するように右斜め上方に傾斜する傾斜面により構成されている。
原稿台ＰＧの下方には、読取りユニットＡが配置されている。実施例１の読取りユニットＡは、枠体の一例としてのハウジング１１を有する。ハウジング１１は、自動読み取り面１の下方の自動読取り位置と、手動読み取り面２の左端に対応する手動の読取り開始位置と、手動読み取り面２の右端に対応する手動の読取り終了位置との間で、移動可能に支持されている。
【００３８】
ハウジング１１の上部には、光源部材の一例としてのランプ１２が支持されている。実施例１のランプ１２は、第１の光源部材の一例としての左側の第１ランプ１２ａと、第２の光源部材の一例としての右側の第２ランプ１２ｂと、を有する。なお、実施例１の各ランプ１２ａ，１２ｂは、前後方向に延びるハロゲンランプにより構成されているが、ＬＥＤ光源等、任意の光源を使用可能である。
また、第１ランプ１２ａと第２ランプ１２ｂとの間には、原稿Ｇｉからの反射光が通過する通過口１３が形成されている。
【００３９】
ランプ１２の下方には、読取り部材の一例としてのＣＭＯＳセンサ１４が配置されている。実施例１のＣＭＯＳセンサ１４は、第１の読取り部材の一例としての左側の第１ＣＭＯＳセンサ１４ａと、第２の読取り部材の一例としての右側の第２ＣＭＯＳセンサ１４ｂと、を有する。
実施例１の第１ＣＭＯＳセンサ１４ａは、第１ランプ１２ａから照射された光の原稿Ｇｉからの正反射光を受光可能、且つ、第２ランプ１２ｂから照射された光の原稿Ｇｉからの拡散反射光、すなわち、正反射光とは異なる向きで原稿Ｇｉから反射した光を受光可能な位置に配置されている。また、実施例１の第２ＣＭＯＳセンサ１４ｂは、第２ランプ１２ｂから照射された光の原稿Ｇｉからの正反射光を受光可能、且つ、第１ランプ１２ａから照射された光の原稿Ｇｉからの拡散反射光を受光可能な位置に配置されている。
【００４０】
なお、実施例１の第１ＣＭＯＳセンサ１４ａと第２ＣＭＯＳセンサ１４ｂは、読取りユニットＡの移動方向、すなわち、副走査方向に対してずれた位置に配置されている。したがって、第１ＣＭＯＳセンサ１４ａと第２ＣＭＯＳセンサ１４ｂとは、副走査方向に対して、異なる位置の画像を読み取る。すなわち、実施例１の第１ＣＭＯＳセンサ１４ａと第２ＣＭＯＳセンサ１４ｂは、１ライン分ズレた位置の画像を読み取る。
なお、実施例１では、読取り部材としてＣＭＯＳセンサを使用しているが、これに限定されず、ＣＣＤ等、任意の読取り素子を使用可能である。
【００４１】
図３において、実施例１の原稿搬送装置Ｕ１ａでは、原稿搬送部Ｕ１ａ２には、原稿の搬送路２１が形成されている。原稿搬送路２１は、原稿給紙トレイＵ１ａ１から、自動読み取り面１１の上面の読取り位置Ｐ１を通過して、原稿排出トレイＵ１ａ３まで延びている。原稿の搬送路２１には、搬送部材の一例としての搬送ロール２２が配置されている。また、原稿の搬送路２１には、読取り位置Ｐ１よりも下流側に、原稿Ｇｉの裏面を読み取る読み取り部材の一例としてのイメージセンサ２３が配置されている。
【００４２】
（実施例１の制御部の説明）
図４において、複写機Ｕの制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００４３】
作像部Ｕ３の制御部Ｃは、ＣＭＯＳセンサ１４や図示しないセンサ等の信号出力要素からの入力信号に応じた処理を実行して、ランプ１２や読取りユニットＡを移動させる図示しないモータ等の各制御要素に制御信号を出力する機能を有している。すなわち、制御部Ｃは次の機能を有している。
【００４４】
Ｃ１：移動制御手段
移動制御手段Ｃ１は、スキャナ部Ｕ１の読取りユニットＡの移動を制御する。実施例１の移動制御手段Ｃ１は、原稿給紙トレイＵ１ａ１に原稿Ｇｉが存在する場合には、自動読取りモードとして、読取りユニットＡを、自動読み取り面１の下方の自動読取り位置に移動させる。また、移動制御手段Ｃ１は、原稿給紙トレイＵ１ａ１に原稿Ｇｉが存在しない場合には、手動読取りモードとして、読取りユニットＡを、手動読み取り面２に沿って、手動の読取り開始位置から手動の読取り終了位置まで移動させた後、手動の読取り開始位置まで移動させる。なお、以下の説明において、手動の読取り開始位置から手動の読取り終了位置までの移動を「スキャン移動」と呼び、手動の読取り終了位置から手動の読取り開始位置までの移動を「バックスキャン移動」と呼ぶこととする。実施例１では、スキャン移動時の読取りユニットＡの移動速度と、バックスキャン移動時の読取りユニットＡの移動速度は、同速度に設定されている。
【００４５】
Ｃ２：合成処理の設定記憶手段
合成処理の設定記憶手段Ｃ２は、各ＣＭＯＳセンサ１４ａ，１４ｂで読み取られた画像に基づいて行われる画像の合成処理の設定を記憶する。実施例１の合成処理の設定記憶手段Ｃ２では、普通紙や厚紙等の原稿Ｇｉに適した第１の合成処理と、凹凸のあるエンボス紙や光沢のある光沢紙等の特殊な原稿Ｇｉに適した第２の合成処理と、のいずれかを実行するかの設定を記憶する。なお、実施例１では、各合成処理の設定は、利用者が操作部ＵＩを操作して設定可能に構成されている。
【００４６】
Ｃ３：光源制御手段
光源制御手段Ｃ３は、自動読取時の光源制御手段Ｃ３Ａと、第１の合成処理時の光源制御手段Ｃ３Ｂと、第２の合成処理時の光源制御手段Ｃ３Ｃと、を有し、ランプ１２の点灯を制御する。
Ｃ３Ａ：自動読取時の光源制御手段
自動読取時の光源制御手段Ｃ３Ａは、自動読み取りモードの場合に、２つのランプ１２ａ，１２ｂを両方点灯させる。
【００４７】
Ｃ３Ｂ：第１の合成処理時の光源制御手段
第１の合成処理時の光源制御手段Ｃ３Ｂは、第１の合成処理が行われる場合に、スキャン移動時に、第１ランプ１２ａおよび第２ランプ１２ｂを点灯させる。そして、バックスキャン移動時は、第１のランプ１２ａおよび第２ランプ１２ｂを消灯させる。
Ｃ３Ｃ：第２の合成処理時の光源制御手段
第２の合成処理時の光源制御手段Ｃ３Ｃは、第２の合成処理が行われる場合に、スキャン移動時は、第１ランプ１２ａを点灯させ且つ第２ランプ１２ｂを消灯させる。そして、バックスキャン移動時は、第２ランプ１２ｂを点灯させ且つ第１ランプ１２ａを消灯させる。
【００４８】
Ｃ４：画像取得手段
画像取得手段Ｃ４は、第１の合成処理時の画像取得手段Ｃ４Ａと、第２の合成処理時の画像取得手段Ｃ４Ｂと、を有する。画像取得手段Ｃ４は、各ＣＭＯＳセンサ１４ａ，１４ｂの出力信号に基いて、各ＣＭＯＳセンサ１４ａ，１４ｂで読み取った画像を取得する。
【００４９】
Ｃ４Ａ：第１の合成処理時の画像取得手段
第１の合成処理時の画像取得手段Ｃ４Ａは、第１の合成処理時には、スキャン移動時に第１ＣＭＯＳセンサ１４ａが読み取った正反射光画像と、スキャン移動時に第２ＣＭＯＳセンサ１４ｂが読み取った正反射光画像とを取得する。なお、実施例１の第１の合成処理時の画像取得手段Ｃ４Ａは、各ＣＭＯＳセンサ１４ａ，１４ｂにおいて、副走査方向に沿って１ラインおきの画像を取得する。すなわち、第１ＣＭＯＳセンサ１４ａは、奇数行のラインの画像を読み取り、第２ＣＭＯＳセンサ１４ｂは、偶数行のラインの画像を読み取る。
【００５０】
Ｃ４Ｂ：第２の合成処理時の画像取得手段
第２の合成処理時の画像取得手段Ｃ４Ｂは、第２の合成処理時には、スキャン移動時に第１ＣＭＯＳセンサ１４ａが読み取った正反射光画像と、スキャン移動時に第２ＣＭＯＳセンサ１４ｂが読み取った拡散光画像と、バックスキャン移動時に第１ＣＭＯＳセンサ１４ａが読み取った拡散光画像と、バックスキャン移動時に第２ＣＭＯＳセンサ１４ｂが読み取った正反射光画像と、を取得する。
【００５１】
Ｃ５：画像合成手段
画像合成手段Ｃ５は、第１の合成処理手段Ｃ５Ａと、第２の合成処理手段Ｃ５Ｂと、を有し、ＣＭＯＳセンサ１４が読み取った画像に基いて、原稿Ｇｉの読取り画像を合成する。
Ｃ５Ａ：第１の合成処理手段
第１の合成処理手段Ｃ５Ａは、第１の合成処理時の画像取得手段Ｃ４Ａが取得した画像に基づいて、原稿Ｇｉの読取り画像を合成する。実施例１の第１の合成処理手段Ｃ５Ａは、第１ＣＭＯＳセンサ１４ａで読み取られた奇数行の正反射画像と、第２ＣＭＯＳセンサ１４ｂで読み取られた偶数行の正反射画像とを合成して、原稿Ｇｉの読取り画像を合成する。すなわち、実施例１の第１の合成処理手段Ｃ５Ａでは、正反射画像のみに基いて、原稿Ｇｉの画像を読み取る。
【００５２】
Ｃ５Ｂ：第２の合成処理手段
第２の合成処理手段Ｃ５Ｂは、第２の合成処理時の画像取得手段Ｃ４Ｂが取得した画像に基いて、原稿Ｇｉの読取り画像を合成する。実施例１の第２の合成処理手段Ｃ５Ｂは、まず、スキャン移動時に第１ＣＭＯＳセンサ１４ａが読み取った画像と、バックスキャン移動時に第２ＣＭＯＳセンサ１４ｂが読み取った画像と、に基いて、第１の画像の一例としての正反射画像を取得する。すなわち、第１ランプ１２ａの点灯時の原稿Ｇｉからの正反射光の画像と、第２ランプ１２ｂの点灯時の原稿Ｇｉからの正反射光の画像とを、合成して、正反射画像を作成する。次に、実施例１の第２の合成処理手段Ｃ５Ｂは、スキャン移動時に第２ＣＭＯＳセンサ１４ｂが読み取った画像と、バックスキャン移動時に第１ＣＭＯＳセンサ１４ａが読み取った画像と、に基いて、第２の画像の一例としての拡散光画像を取得する。すなわち、第１ランプ１２ａの点灯時の原稿Ｇｉからの拡散反射光の画像と、第２ランプ１２ｂの点灯時の原稿Ｇｉからの拡散反射光の画像とを、合成して、拡散光画像を作成する。
【００５３】
図５は実施例１の画像の一例の説明図であり、図５Ａは拡散光画像の説明図、図５Ｂは正反射光画像の説明図、図５Ｃは重み付けが異なる複数の合成画像の説明図である。
そして、実施例１の第２の合成処理手段Ｃ５Ｂは、正反射画像と拡散光画像とに基づいて、原稿Ｇｉの読取り画像を合成する。図５において、実施例１の第２の合成処理手段Ｃ５Ｂは、一例として、図５Ｂに示す正反射画像と、図５Ａに示す拡散光画像とを、予め設定された重み付けに基いて、図５Ｃに示すように合成する。図５Ｃにおいて、左上が、正反射画像と拡散光画像との重み付けが１００：０の合成画像であり、右下が０：１００の合成画像であり、その中間の画像は、左側および上側に行くほど正反射画像の重み付けが大きな合成画像である。実施例１では、一例として、重み付けが５０：５０に設定されているが、利用者が手動で重み付けを設定可能に構成することも可能である。
【００５４】
Ｃ６：原稿サイズの測定手段
大きさの測定手段の一例としての原稿サイズの測定手段Ｃ６は、スキャン移動時にＣＭＯＳセンサ１４が読み取った画像と、バックスキャン移動時にＣＭＯＳセンサ１４が読み取った画像と、に基いて、手動読み取り面２に置かれた原稿Ｇｉの大きさを測定する。実施例１の原稿サイズの測定手段Ｃ６は、スキャン移動時に第２ＣＭＯＳセンサ１４ｂが読み取った画像と、バックスキャン移動時に第１ＣＭＯＳセンサ１４ａが読み取った画像と、に基いて、原稿Ｇｉの読取り開始位置側の端の影と、読取り終了位置側の端の影を特定し、影を除いた原稿Ｇｉの大きさから、原稿Ｇｉの大きさを測定する。一例として、スキャン移動時に第２ＣＭＯＳセンサ１４ｂが読み取った画像と、バックスキャン移動時に第１ＣＭＯＳセンサ１４ａが読み取った画像の差分を取ることで、画像の影を特定することが可能である。
【００５５】
Ｃ７：読取画像の出力手段
読取画像の出力手段Ｃ７は、読取りユニットＡで読み取った原稿Ｇｉの画像を画像処理部ＧＳに出力する。実施例１の読取画像の出力手段Ｃ７は、自動読み取りモード時は、ＣＭＯＳセンサ１４ａ，１４ｂがそれぞれ読み取った正反射画像を合成して出力する。また、手動読取りモード時は、画像合成手段Ｃ５で合成された画像を出力する。
【００５６】
（原稿画像の読取処理の作用）
前記構成を備えた実施例１の複写機Ｕでは、コピースタートキーＵＩｃの入力がされた場合に、原稿給紙トレイＵ１ａ１に原稿Ｇｉが無いと、「手動読取モード」が実行される。また、原稿給紙トレイＵ１ａ１に原稿Ｇｉがあると、「自動読取モード」が実行される。
手動読み取りモードが実行される際に、第１の合成処理が設定されている場合には、読取りユニットＡがスキャン移動時に、両方のランプ１２ａ，１２ｂが点灯する。したがって、従来のスキャナと同様に、各ＣＭＯＳセンサ１４ａ，１４ｂで読み取られた正反射光画像に基いて、画像を読み取る。
また、手動読み取りモードが実行される際に、第２の合成処理が設定されている場合には、読取りユニットＡがスキャン移動時に、第１ランプ１２ａが点灯し、バックスキャン移動時に第２ランプ１２ｂが点灯する。
【００５７】
図６は実施例１の凹凸のある原稿とランプからの照射光との関係の説明図であり、図６Ａは第１ランプのみが点灯した状態の説明図、図６Ｂは第２ランプのみが点灯した状態の説明図、図６Ｃは２つのランプが両方点灯した状態の説明図である。
図６Ａ、図６Ｂに示すように、第２の合成処理時に、いずれか一方のランプから光を照射すると、凹凸のあるエンボス紙や、油絵のように重ねられている絵の具の厚さが異なって表面に凹凸がある場合、布地に印刷された原稿の場合、文字の部分が盛り上がったり凹んだりしている原稿のように、原稿に凹凸がある場合には、読み取られる画像に影３１が発生する。したがって、読取り画像に影３１が含まれる。
また、読取りユニットＡの移動方向、すなわち、副走査方向に対して、読取り位置が異なる第１ＣＭＯＳセンサ１４ａと第２ＣＭＯＳセンサ１４ｂとでは、一方のランプ１２ａ，１２ｂが点灯した状態では、反射光量の大きな正反射画像と、反射光量の小さい拡散光画像とが読み取られる。
【００５８】
一方、図６Ｃにおいて、特許文献１に記載の技術のように従来の技術では、読取り位置に対して、上流側と下流側の２つのランプを点灯させて両側から光を照射されている。なお、下流側に１つのランプを配置して上流側に反射鏡を配置することで、同様に、両側から光を照射する構成も知られている。この場合、影が殆ど無い画像が取得される。しかしながら、影のない画像は、立体感に乏しく、凹凸のある原稿の画像を複写する際に、複写された画像は、立体感のある原稿の画像Ｇｉとは異なることとなる。すなわち、読取り不良となる問題がある。
また、金色の文字で印刷されている原稿や光沢紙に印刷された原稿のような光沢のある原稿の場合、正反射画像は、反射光量が多くなり、反射光量が過剰な部分が発生するとその部分の画像が真っ白になってしまう。よって、図５Ｂに示すように、読み取られた画像の一部に白抜けと呼ばれる読み取り不良が発生する場合がある。
【００５９】
これらに対して、実施例１では、手動読み取りモードでは、スキャン移動時と、バックスキャン時で異なるランプ１２ａ，１２ｂが点灯する。したがって、読み取られた画像に影が含まれる。そして、相対的に影の影響の少ない正反射画像と、相対的に影の影響が大きい拡散光画像とが合成された画像が出力される。よって、両方のランプが点灯する場合に比べて、読取り画像に立体感を出すことが可能となる。
また、実施例１では、光沢のある原稿の場合でも、反射光量の多い正反射画像と、反射光量の少ない拡散反射画像とを合成した合成画像が出力される。よって、両方のランプが点灯する従来の場合に比べて、白抜けが低減される。したがって、実施例１では、従来の構成に比べて、読み取り不良が低減される。
【００６０】
特に、実施例１では、正反射画像は、スキャン移動時とバックスキャン移動時の正反射画像とが合成され、拡散光画像も同様である。例えば、正反射画像を取得する場合に、スキャン移動時のみの正反射画像を使用すると、読取り画像の下流側に影３１の影響が大きく出る場合がある。すなわち、影が偏る場合がある。これに対して、実施例１では、スキャン移動時とバックスキャン移動時の正反射画像が合成されており、影の偏りが抑えられる。
また、実施例１では、スキャン移動時とバックスキャン移動時とで、異なるランプ１２ａ，１２ｂが点灯される。したがって、一方のランプを点灯させた状態でスキャン移動し、他方のランプを点灯させた状態で２回目のスキャン移動をする場合に比べて、読取りにかかる時間を短縮可能である。
【００６１】
図７は実施例１の読取りユニットで用紙の端部に画像がある原稿を読み取った場合の説明図であり、図７Ａはスキャン移動時の説明図、図７Ｂはバックスキャン移動時の説明図である。
図７において、原稿Ｇｉの端部に画像３６が形成されている場合、スキャン移動時に計測される影３１が存在すると、画像３６が影３１と誤認されてしまい、原稿Ｇｉの端部が正確に計測されない場合がある。これに対して、実施例１では、スキャン移動時とバックスキャン時の拡散光画像の差分を取ることで、影３１，３１′が特定される。よって、影３１，３１′を原稿Ｇｉの読取り画像から除外した原稿Ｇｉの大きさに基づいて原稿Ｇｉのサイズが測定される。よって、端部に画像３６がある原稿Ｇｉでも、原稿Ｇｉのサイズを正確に計測される。また、原稿Ｇｉのサイズ検知用のセンサを別個に設ける必要が無く、センサの数を減らすことも可能である。
特に、実施例１では、原稿Ｇｉの一方の端だけでなく、両端が精度よく計測される。よって、定形外の原稿、いわゆる、フリーサイズの原稿Ｇｉの場合でも、原稿Ｇｉのサイズを精度よく計測可能である。
【実施例２】
【００６２】
次に本発明の実施例２の説明をするが、この実施例２の説明において、前記実施例１の構成要素に対応する構成要素には同一の符号を付して、その詳細な説明は省略する。
この実施例は下記の点で、前記実施例１と相違しているが、他の点では前記実施例１と同様に構成される。
【００６３】
図８は実施例２の画像読取装置の本体部の要部説明図であり、実施例１の図４に対応する図である。
図８において、実施例２の読取りユニットＡでは、実施例１と異なり、第２ランプ１２ｂが設けられておらず、第１ランプ１２ａのみを有する。
なお、実施例２では、第２の合成処理時には、各ＣＭＯＳセンサ１４ａ，１４ｂは、実施例１と異なり、副走査方向に沿って１ラインごとに画像を読み取る。
実施例２の制御部Ｃは、実施例１の制御部Ｃに対して、実施例１の各手段Ｃ３〜Ｃ６に替えて、光源制御手段Ｃ３′、画像取得手段Ｃ４′、画像合成手段Ｃ５′、原稿サイズの測定手段Ｃ６′を有する。
【００６４】
Ｃ３′：光源制御手段
光源制御手段Ｃ３′は、実施例１と同様の自動読取時の光源制御手段Ｃ３Ａと、手動読取時の光源制御手段Ｃ３Ｂ′とを有し、ランプ１２の点灯を制御する。
Ｃ３Ｂ′：手動読取時の光源制御手段
手動読取時の光源制御手段Ｃ３Ｂ′は、手動読取時のスキャン移動時に、第１ランプ１２ａを点灯させる。なお、バックスキャン移動時は、第１のランプ１２ａは消灯させる。
【００６５】
Ｃ４′：画像取得手段
画像取得手段Ｃ４′は、スキャン移動時に第１ＣＭＯＳセンサ１４ａが読み取った正反射光画像と、スキャン移動時に第２ＣＭＯＳセンサ１４ｂが読み取った拡散光画像と、を取得する。
Ｃ５′：画像合成手段
実施例２の画像合成手段Ｃ５′は、第１の合成処理手段Ｃ５Ａ′と、第２の合成処理手段Ｃ５Ｂ′と、を有し、ＣＭＯＳセンサ１４が読み取った画像に基いて、原稿Ｇｉの読取り画像を合成する。
Ｃ５Ａ′：第１の合成処理手段
第１の合成処理手段Ｃ５Ａ′は、画像取得手段Ｃ４′が取得した画像に基づいて、原稿Ｇｉの読取り画像を合成する。実施例２の第１の合成処理手段Ｃ５Ａ′は、第１ＣＭＯＳセンサ１４ａで読み取られた各ラインの正反射画像に基いて、原稿Ｇｉの読取り画像を合成する。すなわち、実施例２の第１の合成処理手段Ｃ５Ａ′では、正反射画像のみに基いて、原稿Ｇｉの画像を読み取る。
【００６６】
Ｃ５Ｂ′：第２の合成処理手段
第２の合成処理手段Ｃ５Ｂ′は、画像取得手段Ｃ４′が取得した画像に基いて、原稿Ｇｉの読取り画像を合成する。実施例２の第２の合成処理手段Ｃ５Ｂ′は、スキャン移動時に第１ＣＭＯＳセンサ１４ａが読み取った正反射画像と、スキャン移動時に第２ＣＭＯＳセンサ１４ｂが読み取った拡散光画像とを、実施例１の第２の合成処理手段Ｃ５Ｂと同様に、合成する。
【００６７】
Ｃ６′：原稿サイズの測定手段
実施例２の原稿サイズの測定手段Ｃ６′は、スキャン移動時に第２ＣＭＯＳセンサ１４ｂが読み取った拡散光画像に基いて、原稿Ｇｉの大きさを測定する。実施例２では、第２ＣＭＯＳセンサ１４ｂで読み取った拡散光画像と、第１ＣＭＯＳセンサ１４ａで読み取った正反射画像とから、原稿Ｇｉの読取り開始位置側の端の影と、読取り終了位置側の端の影を特定し、影を除いた原稿Ｇｉの大きさから、原稿Ｇｉの大きさを測定する。
【００６８】
（実施例２の作用）
前記構成を備えた実施例２の複写機Ｕでは、１つのランプ１２ａから照射された正反射光および拡散反射光を、２つのＣＭＯＳセンサ１４ａ，１４ｂで受光する。そして、実施例１と同様に、第２の合成処理が設定されている場合では、正反射画像と拡散光画像とが合成されて読取り画像が形成される。よって、単一の方向からの正反射画像のみから画像情報を作成する従来の構成に比べて、実施例２では、凹凸のある原稿や光沢のある原稿の読取り不良を低減することができる。
また、実施例２では、実施例１と同様に、拡散光画像に基づいて原稿Ｇｉの大きさを測定しており、原稿Ｇｉの大きさを検知するセンサを別個に設置する場合に比べて、センサを減らすことが可能である。
【実施例３】
【００６９】
次に本発明の実施例３の説明をするが、この実施例３の説明において、前記実施例１の構成要素に対応する構成要素には同一の符号を付して、その詳細な説明は省略する。
この実施例は下記の点で、前記実施例１と相違しているが、他の点では前記実施例１と同様に構成される。
【００７０】
図９は実施例３の画像読取装置の本体部の要部説明図であり、実施例１の図４に対応する図である。
図９において、実施例３の読取りユニットＡでは、実施例１と異なり、第２ＣＭＯＳセンサ１４ｂが設けられておらず、第１ＣＭＯＳセンサ１４ａのみを有する。
なお、実施例３では、第１ＣＭＯＳセンサ１４ａは、実施例１と異なり、副走査方向に沿って１ラインごとに画像を読み取る。
また、実施例３の制御部Ｃは、実施例１の制御部Ｃに対して、実施例１の各手段Ｃ３〜Ｃ６に替えて、光源制御手段Ｃ３″、画像取得手段Ｃ４″、画像合成手段Ｃ５″、原稿サイズの測定手段Ｃ６″を有する。
【００７１】
Ｃ３″：光源制御手段
光源制御手段Ｃ３″は、実施例１と同様の自動読取時の光源制御手段Ｃ３Ａと、第２の合成処理時の光源制御手段Ｃ３Ｃと、を有し、実施例１と異なる第１の合成処理時の光源制御手段Ｃ３Ｂ″と、を有する。
Ｃ３Ｂ″：第１の合成処理時の光源制御手段
第１の合成処理時の光源制御手段Ｃ３Ｂ″は、第１の合成処理が行われる場合に、スキャン移動時に、第１ランプ１２ａを点灯させ且つ第２ランプ１２ｂを消灯させる。そして、バックスキャン移動時は、第１ランプ１２ａを消灯させ且つ第２ランプ１２ｂを点灯する。
【００７２】
Ｃ４″：画像取得手段
実施例３の画像取得手段Ｃ４″は、実施例１とは異なる第１の合成処理時の画像取得手段Ｃ４Ａ″と、第２の合成処理時の画像取得手段Ｃ４Ｂ″と、を有する。
Ｃ４Ａ″：第１の合成処理時の画像取得手段
実施例３の第１の合成処理時の画像取得手段Ｃ４Ａ″は、第１の合成処理時には、スキャン移動時に第１ＣＭＯＳセンサ１４ａが読み取った正反射光画像を取得する。
【００７３】
Ｃ４Ｂ″：第２の合成処理時の画像取得手段
実施例３の第２の合成処理時の画像取得手段Ｃ４Ｂ″は、第２の合成処理時には、スキャン移動時に第１ＣＭＯＳセンサ１４ａが読み取った正反射光画像と、バックスキャン移動時に第１ＣＭＯＳセンサ１４ａが読み取った拡散光画像と、を取得する。
【００７４】
Ｃ５″：画像合成手段
画像合成手段Ｃ５″は、第１の合成処理手段Ｃ５Ａ″と、第２の合成処理手段Ｃ５Ｂ″と、を有し、ＣＭＯＳセンサ１４が読み取った画像に基いて、原稿Ｇｉの読取り画像を合成する。
Ｃ５Ａ″：第１の合成処理手段
実施例３の第１の合成処理手段Ｃ５Ａ″は、第１の合成処理時の画像取得手段Ｃ４Ａ″が取得した１ラインごとの正反射画像に基づいて、原稿Ｇｉの読取り画像を合成する。
【００７５】
Ｃ５Ｂ″：第２の合成処理手段
実施例３の第２の合成処理手段Ｃ５Ｂ″は、第２の合成処理時の画像取得手段Ｃ４Ｂ″が取得した画像に基いて、原稿Ｇｉの読取り画像を合成する。実施例３の第２の合成処理手段Ｃ５Ｂ″は、スキャン移動時に第１ＣＭＯＳセンサ１４ａが読み取った正反射画像と、バックスキャン移動時に第１ＣＭＯＳセンサ１４ａが読み取った拡散光画像と、に基いて、実施例１と同様にして、原稿Ｇｉの読取り画像を合成する。
【００７６】
Ｃ６″：原稿サイズの測定手段
実施例３の原稿サイズの測定手段Ｃ６″は、スキャン移動時に第１ＣＭＯＳセンサ１４ａが読み取った正反射画像と、バックスキャン移動時に第１ＣＭＯＳセンサ１４ａが読み取った拡散光画像と、に基いて、原稿Ｇｉの大きさを測定する。すなわち、原稿Ｇｉに対して異なる方向から照射された光の反射光に基いて、原稿Ｇｉの大きさを測定する。
【００７７】
（実施例３の作用）
前記構成を備えた実施例３の複写機Ｕでは、２つのランプ１２ａ，１２ｂから照射された光の正反射光および拡散反射光を、１つのＣＭＯＳセンサ１４ａで受光する。そして、実施例１と同様に、第２の合成処理が設定されている場合では、正反射画像と拡散光画像とが合成されて読取り画像が形成される。よって、単一の方向からの正反射画像のみから画像情報を作成する従来の構成に比べて、実施例３では、凹凸のある原稿や光沢のある原稿の読取り不良を低減することができる。
また、実施例３では、実施例１と同様に、拡散光画像に基づいて原稿Ｇｉの大きさを測定しており、原稿Ｇｉの大きさを検知するセンサを別個に設置する場合に比べて、センサを減らすことが可能である。
【００７８】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ010）を下記に例示する。
（Ｈ01）前記実施例において、画像形成装置の一例としての複写機Ｕによる構成を例示したが、これに限定されず、ＦＡＸ、あるいはこれら複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能であり、いわゆるタンデム式の画像形成装置に限定されず、ロータリ式等の画像形成装置にも適用可能である。
【００７９】
（Ｈ02）前記実施例において、画像形成装置の一例としての複写機Ｕに設けられた画像読取装置の一例としてのスキャナ部Ｕ１の構成を例示したが、これに限定されず、例えば、スキャナ部Ｕ１単体の構成も可能である。
（Ｈ03）前記実施例において、ランプ１２とＣＭＯＳセンサ１４を有する読取りユニットＡが移動する構成を例示したがこれに限定されない。例えば、ランプ１２と、反射鏡等の光学系が移動し、読取り部材は移動しない構成とすることも可能である。
【００８０】
（Ｈ04）前記実施例において、ＣＭＯＳセンサ１４は、２つ設ける構成を例示したが、これに限定されない。ＣＭＯＳセンサを３つ以上設ける構成とすることも可能である。
（Ｈ05）前記実施例３において、スキャン移動時に第１ランプ１２ａを点灯させ、バックスキャン時に第２ランプ１２ｂを点灯させる構成を例示したが、これに限定されない。例えば、スキャン移動時に第１ランプ１２ａを点灯させ、バックスキャン時に両方のランプ１２ａ，１２ｂを消灯させるとともに、２度目のスキャン移動時に第２ランプ１２ｂを点灯させる構成とすることも可能である。すなわち、点灯させるランプ１２ａ，１２ｂを変えて２回スキャンを行う構成とすることも可能である。すなわち、前記実施例１〜３において、２つのＣＭＯＳセンサを切り替えたり、ランプの点灯を切り替えて複数回スキャン（バックスキャンを含む）することで、正反射光と拡散反射光を得ることができるように変更することが可能である。
【００８１】
（Ｈ06）前記実施例において、原稿サイズを測定する構成を採用することが望ましいが、省略することも可能である。
（Ｈ07）前記実施例において、例示した具体的な数値は、設計や仕様等に応じて、任意に変更可能である。
（Ｈ08）前記実施例２において、バックスキャン時にも第１ランプ１２ａを点灯させて、画像を取得する構成とすることも可能である。
【００８２】
（Ｈ09）前記実施例１において、１ラインおきに画像を読み取る構成を例示したが、これに限定されない。１ラインごとに読み取っても良いし、解像度等の設定に応じて、２ライン以上おきに読み取る構成とすることも可能である。
（Ｈ010）前記実施例において、第１の合成処理と第２の合成処理のいずれかを実行する構成を例示したが、これに限定されず、第２の合成処理のみを実行する構成とすることも可能である。
【符号の説明】
【００８３】
１２…光源、
１２ａ…第１の光源、
１２ｂ…第２の光源、
１４…読取り部材、
１４ａ…第１の読取り部材、
１４ｂ…第２の読取り部材、
Ｃ５，Ｃ５′，Ｃ５″…画像合成手段、
Ｃ６，Ｃ６′，Ｃ６″…大きさ測定手段、
Ｇｉ…原稿、
ＰＧ…支持台、
Ｓ…媒体、
Ｕ…画像形成装置、
Ｕ１…画像読取装置、
Ｕ３…画像記録装置。
【図１】
0006515637.tif 000002
【図２】
0006515637.tif 000003
【図３】
0006515637.tif 000004
【図４】
0006515637.tif 000005
【図５】
0006515637.tif 000006
【図６】
0006515637.tif 000007
【図７】
0006515637.tif 000008
【図８】
0006515637.tif 000009
【図９】
0006515637.tif 000010